(57)【要約】【課題】フィット性に優れ、はき心地に優れるとともに、ずり落ちし難いパンツ型使い捨て紙おむつを提供する。【解決手段】身体側の透液性トップシート１１と、外面側を覆う本体バックシート２０との間に吸収体１３が介在された紙おむつ構成シート材を長手方向中央部を折り線位置として前身頃と後身頃とが重なるように折り畳み、前記前身頃と後身頃との両側縁部を熱溶着することによりパンツ型とした使い捨て紙おむつにおいて、前記前身頃および後身頃部分において、ウエスト開口縁からほぼ脚開口上縁部までの身頃フラップＥＳ区間をウエスト開口縁側から順に、腰部区間Ａ、脇上部区間Ｂおよび脇下部区間Ｃの３区間に区分するとともに、それぞれの区間毎に紙おむつ幅方向に沿って複数本の弾性伸縮部材２３・２４、２５，２７を配設し、かつこれら各区間毎の弾性伸縮力を、脇下部区間Ｃ≧脇上部区間Ｂ＞腰部区間Ａの関係とする。【選択図】図１
2007098161.tif 000002
【特許請求の範囲】
【請求項１】
身体側の透液性トップシートと、外面側のバックシートとの間に吸収体が介在された紙おむつ構成シート材を長手方向中央部を折り線位置として前身頃と後身頃とが重なるように折り畳み、前記前身頃と後身頃との両側縁部を熱溶着することによりパンツ型とした使い捨て紙おむつにおいて、
前記前身頃および後身頃部分において、ウエスト開口縁からほぼ脚開口上縁部までの区間をウエスト開口縁側から順に、腰部区間、脇上部区間および脇下部区間の３区間に区分するとともに、それぞれの区間毎に紙おむつ幅方向に沿って複数本の弾性伸縮部材を配設し、これら各区間毎の弾性伸縮力が、脇下部区間≧脇上部区間＞腰部区間の関係にあることを特徴とするパンツ型使い捨て紙おむつ。
【請求項２】
前記腰部区間、脇上部区間および脇下部区間の各区分長は、ウエスト開口縁からほぼ脚開口上縁部までの区間を、腰部区間：脇上部区間：脇下部区間＝２：５：５〜１：１：１の比率で配分してある請求項１記載のパンツ型使い捨て紙おむつ。
【請求項３】
前記使い捨て紙おむつの両側部に紙おむつの略長手方向に沿って直線状に或いは脚周りに沿うように展開視で弧状に配置された吸収体持上げ用弾性伸縮部材を配置するとともに、前記直線状に或いは脚周りに沿うように展開視で弧状に配置された吸収体持上げ用弾性伸縮部材の前後端部を吸収体配設領域に固定したことを特徴とする請求項１，２いずれかに記載のパンツ型使い捨て紙おむつ。
【請求項４】
前記吸収体は中間両側部領域に括れ部を有する略砂時計形状を成し、前記吸収体持上げ用弾性伸縮部材は、中間部では前記括れ部を通り、前後端部が吸収体前後端側部に夫々固定されている請求項３記載のパンツ型使い捨て紙おむつ。
【請求項５】
前記吸収体持上げ用弾性伸縮部材は、脚周りに沿うように展開視で弧状に配置されている請求項３、４いずれかに記載の使い捨て紙おむつ。
【請求項６】
前記吸収体は中間両側部領域に括れ部を有する略砂時計形状を成し、前記吸収体持上げ用弾性伸縮部材は、展開視で前記括れ部に沿って吸収体の内側領域に配置されている請求項３記載のパンツ型使い捨て紙おむつ。
【請求項７】
前記吸収体持上げ用弾性伸縮部材の一方端は、前身頃に紙おむつ幅方向に沿って配設された複数本の前身頃弾性伸縮部材の内、最も股下側の弾性伸縮部材を越えて延在し、かつ前記吸収体持上げ用弾性伸縮部材の他方端は、後身頃に紙おむつ幅方向に沿って配設された複数本の後身頃弾性伸縮部材の内、最も股下側の弾性伸縮部材を越えて延在していることを特徴とする請求項３〜６いずれかに記載のパンツ型使い捨て紙おむつ。
【発明の詳細な説明】
【技術分野】
【０００１】
本発明は、はかせ易く、フィット性に優れるとともに、ずり落ちし難いパンツ型使い捨て紙おむつに関する。
【背景技術】
【０００２】
従来より、おむつ離れを促進する、或いはその都度止着テープを用いての装着作業から大人を解放し、装着を簡便化するなどの目的のために、パンツ型使い捨て紙おむつがテープ型使い捨て紙おむつと共に市場に提供されている。
【０００３】
本出願人も先の特開平１０−１２７６８７号公報、特開平１１−１２８２６７号公報などにおいて、パンツ型使い捨て紙おむつを提案した。前者の特開平１０−１２７６８７号公報において提案したパンツ型使い捨て紙おむつを例に採って説明すれば、このパンツ型使い捨て紙おむつは、図１３に示されるように、透液性トップシート５２と、ポリエチレン等からなる防水フィルム５３と、これら両シート間に介在された吸収体５４とからなる紙おむつ本体５０の外面側に本体バックシート５１を設けた構造のものである。
【０００４】
前記本体バックシート５１は、表面バックシート５５と裏面バックシート５６との二層構造となっており、これら両シート間５５，５６には、紙おむつの腰部開口部を封止する腰周り弾性伸縮部材５７…，５８…が配設されるとともに、腹部および背部のそれぞれに対してずり落ちを防止するとともに、フィット性を確保するために腹側弾性伸縮部材５９、…および背側弾性伸縮部材６０，…、並びに脚周りを封止する脚周り第１弾性伸縮部材６１，…と脚周り第２弾性伸縮部材６２、…とが設けられている。この脚周り第１弾性伸縮部材６１、…は、一方の脚周りの前身頃Ｆ端から股間部を巡って他方の脚周りの前身頃Ｆ端に連続して配設された１または複数の弾性伸縮部材であり、前記脚周り第２弾性伸縮部材６２、…は、一方の脚周りの後身頃Ｂ端から股間部を巡って他方の脚周りの後身頃Ｂ端に連続して配設された１または複数の弾性伸縮部材である。紙おむつの股間部位では、前記第１弾性伸縮部材６１、…と、第２弾性伸縮部材６２、…とは、交差することなく接近しながら紙おむつの幅方向に沿って配設されている。
【０００５】
前記紙おむつ本体５０は、外面側に防水フィルム５３のほぼ全面がホットメルト接着剤によって本体バックシート５１の表面バックシート５５に接着固定され一体化されている。前述の紙おむつは、略中央の折り畳みラインＬにて前身頃Ｆと後身頃Ｂを重ね合わせ、その両側縁部を超音波溶接法等の溶着方法にて接合することによってパンツ型に成形される。
【発明の開示】
【発明が解決しようとする課題】
【０００６】
しかしながら、前記パンツ型使い捨て紙おむつの場合には、前記腰周り弾性伸縮部材５７，５８…の弾性伸縮力を相対的に強くし、腹側弾性伸縮部材５９、５９…および背側弾性伸縮部材６０，６０…については、その配置領域区間の全区間、すなわちウエスト開口縁からほぼ脚開口上縁部までの区間において、紙おむつ幅方向に均一の弾性伸縮力により配置されているため、身体に対するフィット性およびはき心地が必ずしも良好となっていないなどの問題があった。
【０００７】
すなわち、乳幼児の体型は図１４に示されるように、成人のようにウエスト部分ａがくびれているわけではなくむしろ膨出しており、足の大腿骨部分ｃが膨らんでいる結果、股関節上部位置ｂ（脇上部位置）がくびれた体型をしている。その結果、腰周り弾性伸縮部材５７，５８…の弾性伸縮力を強くしたとしても、排尿や排便により紙おむつの重さが増し、或いは姿勢変化や歩行運動に伴って紙おむつのずり落ちが生じ易いとともに、乳幼児が腹部に圧迫感を感じるなどの問題があった。
【０００８】
また、前記腰周り弾性伸縮部材５７，５８…の弾性伸縮力が高いと、紙おむつをはかす際にウエスト開口部を相当の力で拡げなければならず、はかせ難いなどの問題もあった。
【０００９】
そこで本発明の主たる課題は、フィット性に優れ、はき心地に優れるとともに、ずり落ちし難く、さらに簡単にはかせることのできるパンツ型使い捨て紙おむつを提供することにある。
【課題を解決するための手段】
【００１０】
前記課題を解決するために請求項１に係る本発明として、身体側の透液性トップシートと、外面側のバックシートとの間に吸収体が介在された紙おむつ構成シート材を長手方向中央部を折り線位置として前身頃と後身頃とが重なるように折り畳み、前記前身頃と後身頃との両側縁部を熱溶着することによりパンツ型とした使い捨て紙おむつにおいて、
前記前身頃および後身頃部分において、ウエスト開口縁からほぼ脚開口上縁部までの区間をウエスト開口縁側から順に、腰部区間、脇上部区間および脇下部区間の３区間に区分するとともに、それぞれの区間毎に紙おむつ幅方向に沿って複数本の弾性伸縮部材を配設し、これら各区間毎の弾性伸縮力が、脇下部区間≧脇上部区間＞腰部区間の関係にあることを特徴とするパンツ型使い捨て紙おむつが提供される。
【００１１】
請求項２に係る本発明として、前記腰部区間、脇上部区間および脇下部区間の各区分長は、ウエスト開口縁からほぼ脚開口上縁部までの区間を、腰部区間：脇上部区間：脇下部区間＝２：５：５〜１：１：１の比率で配分してある請求項１記載のパンツ型使い捨て紙おむつが提供される。
【００１２】
請求項３に係る本発明として、前記使い捨て紙おむつの両側部に紙おむつの略長手方向に沿って直線状に或いは脚周りに沿うように展開視で弧状に配置された吸収体持上げ用弾性伸縮部材を配置するとともに、前記直線状に或いは脚周りに沿うように展開視で弧状に配置された吸収体持上げ用弾性伸縮部材の前後端部を吸収体配設領域に固定したことを特徴とする請求項１，２いずれかに記載のパンツ型使い捨て紙おむが提供される。
【００１３】
請求項４に係る本発明として、前記吸収体は中間両側部領域に括れ部を有する略砂時計形状を成し、前記吸収体持上げ用弾性伸縮部材は、中間部では前記括れ部を通り、前後端部が吸収体前後端側部に夫々固定されている請求項３記載のパンツ型使い捨て紙おむつが提供される。
【００１４】
請求項５に係る本発明として、前記吸収体持上げ用弾性伸縮部材は、脚周りに沿うように展開視で弧状に配置されている請求項３、４いずれかに記載の使い捨て紙おむつが提供される。
【００１５】
請求項６に係る本発明として、前記吸収体は中間両側部領域に括れ部を有する略砂時計形状を成し、前記吸収体持上げ用弾性伸縮部材は、展開視で前記括れ部に沿って吸収体の内側領域に配置されている請求項３記載のパンツ型使い捨て紙おむつが提供される。
【００１６】
請求項７に係る本発明として、前記吸収体持上げ用弾性伸縮部材の一方端は、前身頃に紙おむつ幅方向に沿って配設された複数本の前身頃弾性伸縮部材の内、最も股下側の弾性伸縮部材を越えて延在し、かつ前記吸収体持上げ用弾性伸縮部材の他方端は、後身頃に紙おむつ幅方向に沿って配設された複数本の後身頃弾性伸縮部材の内、最も股下側の弾性伸縮部材を越えて延在していることを特徴とする請求項３〜６いずれかに記載のパンツ型使い捨て紙おむつが提供される。
【００１７】
上記請求項３〜７にかかるパンツ型使い捨て紙おむつの場合には、身体に対するフィット性が向上し、確実に紙おむつのずり落ちを防止するようになるため、脚開口周りに沿って配置される脚周り弾性伸縮部材を無くすこともできる。
【発明の効果】
【００１８】
以上詳説のとおり本発明によれば、フィット性に優れ、はき心地に優れるとともに、ずり落ちし難くく、さらに簡単にはかせることのできるパンツ型使い捨て紙おむつとすることができる。
【発明を実施するための最良の形態】
【００１９】
以下、本発明の実施の形態について図面を参照しながら詳述する。
【００２０】
〔第１形態例〕
図１は本発明に係るパンツ型使い捨て紙おむつの一部破断展開図、図２及び図３はそれぞれ図１のII−II線矢視図、III−III線矢視図である。なお、図面の所要箇所においては接着部位を×印で明示している。
【００２１】
同図に明示されるように、本パンツ型紙おむつは、不織布などからなる透液性トップシート１１と、ポリエチレン等からなる防水フィルム１２とにより、綿状パルプなどからなる吸収体本体１３を含む構造の紙おむつ本体１０の外面側に本体バックシート２０が一体的に設けられた構造の紙おむつである。
【００２２】
以下、前記紙おむつ本体１０と本体バックシート２０の構造、およびその組立構造について順に説明すると、
（紙おむつ本体１０の構造）
前記吸収体本体１３は、広い面積の砂時計状の上側吸収体１３Ａと、若干狭い面積の長方形状の下側吸収体１３Ｂとを備え、これらがクレープ紙１３Ｃ、１３Ｄによって囲繞され、全体として変形が可能な半剛性の性質を有するもので、前記上側吸収体１３Ａおよび下側吸収体１３Ｂの内部には粉状の高分子吸収ポリマーが含有されている。この吸収体本体１３の上面に対して、透液性トップシート１１がほぼ全面においてホットメルト接着剤により固定され、吸収体本体１３の下面に対して防水フィルム１２が同じくホットメルト接着剤により固定され、紙おむつ本体１０が構成されている。
【００２３】
前記紙おむつ本体１０の表面両側にはギャザーシート３０，３０によって立体ギャザーＢ１、Ｂ１が設けられている。
【００２４】
前記ギャザーシート３０は、図２に示されるように、上側吸収体１３Ａの側縁部近傍位置から紙おむつ本体１０の側縁部、すなわち吸収体１３Ａ、１３Ｂ側縁より外方に延在しているクレープ紙１３Ｃ、１３Ｄの側部接合部を越えてさらに不透液性バックシート１２の側縁部において一端側が透液性トップシート１１上にホットメルト接着剤によって固定され、ほぼ幅方向中央部で折り返され他端側が前記ホットメルト接着剤によって固定された一端側の上面に同じくホットメルト接着剤によって固定されている。この二重に形成されたギャザーシート３０の内部には、高さ方向に複数本の、図示の例では６本の起立用弾性伸縮部材３１，３１…が配設されている。前記ギャザーシート３０は、紙おむつ本体１０の前後端部では図３に示されるように、起立先端側が所定幅で外側に折り返されホットメルト接着剤によって接着されているとともに、折り返し点から起立点までの面も透液性トップシート１１にホットメルト接着剤によって接着されている。
【００２５】
その結果、製品の使用状態において、その中間部のみが自由端となって、前記起立用弾性伸縮部材３１、３１…の収縮力に伴って製品の内側に向かって起立し立体ギャザーＢ１を構成するようになっている。また、起立部分の高さ方向に沿って複数本の起立用弾性伸縮部材３１，３１…を配設し、起立部分がひだ状となるように構成してあるため、肌に対する密着度が向上し横漏れを確実に防止するようになっている。前記立体ギャザーＢ１を構成するギャザーシート３０としては、極力透液性を低下させ体液の透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。また、前記弾性伸縮部材３１および後述の吸収体持上げ用弾性伸縮部材１４としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００２６】
他方、前記防水フィルム１２は、紙おむつ本体１０の裏面全面を覆う態様で設けられている。この防水フィルム１２としては、近年、ムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に遠心することにより得られる微多孔性シートであり、仮にシート厚が同じであれば無孔シートよりも剛性が低下するため、柔軟性の点で勝るものとなる。なお、立体ギャザーＢ１の形成態様は、本例では紙おむつ本体１０の両側にそれぞれ１条づつ設けたが、２条づつ設けるようにしてもよい。
【００２７】
（本体バックシート２０の構造）
本体バックシート２０は、内面用バックシート不織布２２と外面用バックシート不織布２１とをホットメルト接着剤によって貼り合わせたもので、その前後端側部にフラップ部を形成するべく、前記紙おむつ本体１０よりも外形が大きく、全体として擬似砂時計形状を成している。
【００２８】
この本体バックシート２０を構成している内面用バックシート不織布２２と外面用バックシート不織布２１との間には、紙おむつを着用者にフィットさせるとともに、尿や便の漏れを防止するために各種機能の弾性伸縮部材が介在され、ホットメルト接着剤によって固定されている。
【００２９】
具体的には、図１に示される展開形状において、前身頃Ｆの開口部および後身頃Ｂの開口部には、図示例では各５本の腰周り弾性伸縮部材２３…，２４…がそれぞれ設けられている。
【００３０】
また、前身頃Ｆの腹部相当箇所においては紙おむつ幅方向に沿って、例えば糸ゴムからなる複数本の、図示の例では１１本の前身頃弾性伸縮部材２５，２５…が設けられるとともに、後身頃Ｂの前記腹部相当箇所に対応した臀部箇所には紙おむつ幅方向に沿って、例えば糸ゴムからなる複数本の、図示の例では１１本の後身頃弾性伸縮部材２７，２７…が設けられている。また、前記前身頃Ｆには両端部が腹部相当箇所に位置し、中央部が股下側に膨出する形状の糸ゴムからなる複数本の、図示の例では６本の前身頃持上げ用弾性伸縮部材２６，２６…が設けられている。なお、この前身頃持上げ用弾性伸縮部材２６，２６…は省略してもよい。
【００３１】
本発明に係る使い捨て紙おむつにおいては、脚部開口を形成する上端部よりウエスト縁端部まで身頃フラップＥＳ区間を、腰部区間Ａと、脇上部区間Ｂと、脇下部区間Ｃとに区分し、前記腰部区間Ａには前記腰周り弾性伸縮部材２３…、２４…を配設し、前記脇上部区間Ｂには、前身頃弾性伸縮部材２５，２５…および後身頃弾性伸縮部材２７、２７…の内、相対的に上部側に位置する弾性伸縮部材２５ａ、２５ａ…、２７ａ、２７ａ…が割り当てられ、前記脇下部区間Ｃには前身頃弾性伸縮部材２５，２５…および後身頃弾性伸縮部材２７、２７…の内、相対的に下部側に位置する弾性伸縮部材２５ｂ、２５ｂ…、２７ｂ、２７ｂ…が割り当てられおり、そしてそれぞれの区間Ａ〜Ｃにおいて弾性伸縮力を異ならせている。すなわち、前記脇下部区間Ｃに配設される弾性伸縮部材２５ｂ…、２７ｂ…による弾性伸縮力を相対的に一番大きくし、前記脇上部区間Ｂに配設される弾性伸縮部材２５ａ…、２７ａ…による弾性伸縮力を次いで大きくし、腰部区間Ａに配設される腰周り弾性伸縮部材２３…、２４…による弾性伸縮力を相対的に一番弱くするようにしている。式で示せば、前記各区間Ａ〜Ｃ毎の弾性伸縮力の関係は、脇下部区間Ｃ≧脇上部区間Ｂ＞腰部区間Ａの関係としている。
【００３２】
それぞれの区間寸法比および弾性伸縮部材群による弾性伸縮力を示せば、前記区間寸法比は、身頃フラップＥＳ区間を腰部区間Ａ：脇上部区間Ｂ：脇下部区間Ｃ＝２：５：５〜１：１：１の比率で割り振るようにするのがよい。この場合、前記腰部区間Ａの数値範囲は概ね２０〜４０mmとするのがよい。
【００３３】
一方、各区間の弾性伸縮力は、前記腰部区間Ａでは伸縮率を１８０〜２５０％、弾性伸縮力を５０〜２００ｇとし、脇上部区間Ｂでは伸縮率を２００〜２８０％、弾性伸縮力を８０〜３００ｇとし、脇下部区間Ｃでは伸縮率を２００〜３００％、弾性伸縮力を１００〜３５０ｇとするのが望ましい。
【００３４】
前述のように、区間分けされた前記脇下部区間Ｃに与える弾性伸縮力を最大とすることで、かかる脇下部区間Ｃの部分が、幼児体型上、最もくびれた股関節上部位置（図１４の符号ｂ）下側部分、すなわち胴回り周長が漸次拡大している大腿骨部分（図１４の符号ｃ）に強くフィットするようになるため、装着感に優れるようになるとともに、紙おむつのズリ落ちが確実に防止されるようになる。また、腰部区間Ａに与える弾性伸縮力を相対的に弱くすることで、幼児に与える圧迫感が解消されるようになるとともに、ウエスト開口部を容易に少ない力で拡げることができるようになりはかせ易くなる。
【００３５】
一方、脚周りには、脚周りを封止する１本のまたは複数本の、図示の例では３本の脚周り弾性伸縮部材が設けられている。具体的に図示される配置態様は、一方の脚周りの前身頃Ｆ端から股間部を巡って他方の脚周りの前身頃Ｆ端に連続して配設された１または複数の、図示の例では３本の脚周り第１弾性伸縮部材２８，２８…と、一方の脚周りの後身頃Ｂ端から股間部を巡って他方の脚周りの後身頃Ｂ端に連続して配設された１または複数の、図示の例では３本の脚周り第２弾性伸縮部材２９，２９…とから構成されている。
【００３６】
（紙おむつの組立）
前記紙おむつ本体１０および本体バックシート２０はそれぞれ別々に製造され、図４に示されるように、本体バックシート２０の上面側に紙おむつ本体１０がホットメルト等の接着剤Ｓによって接着され一体化される。そして、図５に示されるように、紙おむつ本体１０および本体バックシート２０が折り返しラインＬにて前後方向に折り重ねられ、その両側部が相互に熱溶着またはホットメルト接着剤などによって接合されることによりパンツ型紙おむつに組み立てられる。
【００３７】
〔第２形態例〕
次いで、図６〜図９に示される第２形態例は、前述した脚周り弾性伸縮部材２８…、２９…を無くして、紙おむつ本体１０の両側部に紙おむつの略長手方向に沿って、少なくとも紙おむつ長手方向の中央部では前記立体ギャザーＢ１の起立点よりも内側位置を通り、かつその前後端部が実質的に吸収体本体１３配設領域に固定された吸収体持上げ用弾性伸縮部材１４，１４を配置した構造の紙おむつである。なお、紙おむつ本体１０の構造および前記脚周り弾性伸縮部材２８…、２９…以外の構造は前記第１形態例において詳述したとおりである。
【００３８】
前記吸収体持上げ用弾性伸縮部材１４は、図９に示されるように、前記紙おむつ本体１０と本体バックシート２０との接合の際に、前記紙おむつ本体１０と本体バックシート２０との間に、配設部位が前記構成となるように介在される。
【００３９】
この吸収体持上げ用弾性伸縮部材１４は、平面的には図６に示されるように、吸収体本体１３を構成している砂時計状の上側吸収体１３Ａの前後端部の相対的に幅広部両側を終始端として、中央の括れ部１３ａを通過するように長手方向に沿って配設される。また、図７の横断面図でその配置態様を視ると、前記紙おむつ本体１０の防水フィルム１２と、前記本体バックシート２０の内面用バックシート不織布２２との間に介在されるように固定され、前記立体ギャザーＢ１との位置関係は少なくとも紙おむつ長手方向中央部では前記立体ギャザーＢ１の起立点よりも内側位置に配設されている。前記吸収体持上げ用弾性伸縮部材１４は、その伸縮率を概ね１２０〜３００％、弾性伸縮強度を５〜１５０ｇとする条件の下で配置するのが望ましい。
【００４０】
ところで、前記吸収体持上げ用弾性伸縮部材１４は、図示の例では前記紙おむつ本体１０と本体バックシート２０との間に介在させるようにしたが、紙おむつ本体１０の内部、たとえばクレープ紙１３Ｄと防水フィルム１２との間、またはクレープ紙１３Ｃとクレープ紙１３Ｄとの間に配置するようにしてもよい。また、本例では１本の弾性伸縮部材を配置するようにしたが複数本配置するようにしてもよい。ただし、前記吸収体持上げ用弾性伸縮部材１４，１４によって吸収体本体１３が垂れ下がらないようにきっちりと保持するためには、吸収体持上げ用弾性伸縮部材１４の前後端部（固定点）がきっちりとあまり位置ズレしない状態で保持されることが望ましく、前記吸収体持上げ用弾性伸縮部材１４の両端部は吸収体本体１３の配設領域に固定する必要がある。
【００４１】
かかる使い捨て紙おむつの場合には装着状態時において、前記吸収体持上げ用弾性伸縮部材１４、１４が紙おむつ本体１０の配設範囲内の両側部において前身頃から脚付け根部を経由して後身頃に至るように配設されるが、かかる配置態様であっても前記脚周り弾性伸縮部材に代わる弾性伸縮部材として十分にその機能を果たすことができる。すなわち、前記吸収体持上げ用弾性伸縮部材１４，１４は吸収体上下端部を固定点としているため、吸収体自体がきっちりとズリ落ちすることなく所定位置に保持されていることが条件となるが、脇下部区間Ｃに与える弾性伸縮力を最大とすることで紙おむつのズリ落ちが確実に防止されるようになり、これらの協同作用によって前記脚周り弾性伸縮部材がなくても、股間部との間に隙間が形成されることが無く、かつ前記立体ギャザーＢ１が肌から離間することないため横漏れを確実に防止できるようになる。
【００４２】
逆に、前記脚周り弾性伸縮部材を無くしたことで、ゴムによる跡付きを無くすことが可能になるとともに、ゴムの収縮力による吸収体の剛化および縮こまりを同時に防止できるようになる。また、ゴワ付き感などを無くし装着感が向上するようになるとともに、吸収体の縮こまりによって生じる溝やシワから尿が漏れ出すなどの事態も防止できるようになる。さらに、股間部を横断する弾性伸縮部材を無くすことで外観が向上するようになる。
【００４３】
ところで、前記吸収体持上げ用弾性伸縮部材１４の配置態様としては種々の例を挙げることができる。図１０に示される配置態様は、股間部領域では括れ部１３ａ領域において脚周りに沿うように弧状に配置し、前後端部を上側吸収体１３Ａの配設領域内に固定するように配置した例であり、図１１に示される配置態様は上側吸収体１３Ａ内であってかつその側縁部に括れ部１３ａの形状に沿って弧状に配置した例である。これら図１０および図１１に示される配置態様では、弧状に配置した吸収体持上げ用弾性伸縮部材１４、１４により外方向（幅方向外側方向）に向かう力が吸収体本体１３に作用するようになるため、尿を吸収した吸収体本体１３が中央部に束状に集まるのを同時に防止出来るようになる。
【００４４】
ところで、前記第１形態例および第２形態例では、前身頃および後身頃の全幅に亘って弾性伸縮部材を配置するようにしたが、図１２に示されるように、腹部に対する圧迫感から開放してやるために、前身頃および後身頃の中間部において弾性伸縮部材を無くし、両側部にのみ弾性伸縮部材を配置することもできる。また、図示の例では、前身頃および後身頃の両面においてその中間部から弾性伸縮部材を無くしたが、前身頃側のみについて中間部から弾性伸縮部材を無くすようにしてもよい。
【図面の簡単な説明】
【００４５】
【図１】第１形態例における本発明パンツ型使い捨て紙おむつの展開図である。
【図２】図１のII−II線矢視図である。
【図３】図１のIII−III線矢視図である。
【図４】本体バックシート２０と紙おむつ本体１０との組立要領斜視図である。
【図５】本パンツ型使い捨て紙おむつの製品状態斜視図である。
【図６】第２形態例における本発明パンツ型使い捨て紙おむつの展開図である。
【図７】図６のVII−VII線矢視図である。
【図８】図６のVIII−VIII線矢視図である。
【図９】本体バックシート２０と紙おむつ本体１０との組立要領斜視図である。
【図１０】吸収体持上げ用弾性伸縮部材１４の配置態様変形例を示す紙おむつ本体１０の平面図である。
【図１１】吸収体持上げ用弾性伸縮部材１４の他の配置態様変形例を示す紙おむつ本体１０の平面図である。
【図１２】前身頃弾性伸縮部材および後身頃弾性伸縮部材の配置態様の変形例図である。
【図１３】従来のパンツ型使い捨て紙おむつの展開図である。
【図１４】乳幼児体型を示す腰部斜視図である。
【符号の説明】
【００４６】
１０…紙おむつ本体、１１…透液性トップシート、１２…防水フィルム、１３…吸収体本体、１３Ａ…上側吸収体、１３Ｂ…下側吸収体、１３Ｃ・１３Ｄ…クレープ紙、１４…吸収体持上げ用弾性伸縮部材、２０…本体バックシート、２１…外面用バックシート不織布、２２…内面用バックシート不織布、２３・２４…腰周り弾性伸縮部材、２５…前身頃弾性伸縮部材、２６…前身頃持ち上げ用弾性伸縮部材、２７…後身頃弾性伸縮部材、２８…脚周り第１弾性伸縮部材、２９…脚周り第２弾性伸縮部材、３０…ギャザーシート、３１…起立用弾性伸縮部材、Ｂ１…立体ギャザー、Ａ…腰部区間、Ｂ…脇上部区間、Ｃ…脇下部区間、ＥＳ…身頃フラップ
【図１】
2007098161.tif 000003
【図２】
2007098161.tif 000004
【図３】
2007098161.tif 000005
【図４】
2007098161.tif 000006
【図５】
2007098161.tif 000007
【図６】
2007098161.tif 000008
【図７】
2007098161.tif 000009
【図８】
2007098161.tif 000010
【図９】
2007098161.tif 000011
【図１０】
2007098161.tif 000012
【図１１】
2007098161.tif 000013
【図１２】
2007098161.tif 000014
【図１３】
2007098161.tif 000015
【図１４】
2007098161.tif 000016